(57)【要約】      （修正有）【課題】廉価なコストで断熱性に優れた低層建築物を施工することができる施工方法およびパネル構造体を提供することである。【解決手段】同じ大きさのＥＰＳ製プレート１６ａを最外層に配置し、ＥＰＳ製プレートと同じ大きさの１枚又は複数枚のＥＰＳ製プレート及び／又は１枚又は複数枚のポリプロピレン製プレート１６ｂを中間層に配置し、隣接するプレート同士を接着剤で接着することによって形成されており、一方の最外層の面又は両方の最外層の面に多数の溝１８ａ、１８ｂが配置され、最外層の一方の面から他方の面に至る多数の貫通孔２０が溝内に配置されていることを特徴とする低層建築物用パネル構造体１６とする。【選択図】図３
2008088773.tif 000002
【特許請求の範囲】
【請求項１】
同じ大きさのＥＰＳ製プレートを最外層に配置し、前記ＥＰＳ製プレートと同じ大きさの１枚又は複数枚のＥＰＳ製プレート及び／又は１枚又は複数枚のポリプロピレン製プレートを中間層に配置し、隣接するプレート同士を接着剤で接着することによって形成され、
一方の最外層の面又は両方の最外層の面に多数の溝が配置され、前記最外層の一方の面から他方の面に至る多数の貫通孔が前記溝内に配置されていることを特徴とする低層建築物用パネル構造体。
【請求項２】
１枚のＥＰＳ製プレートによって形成され、
前記プレートの一方の面又は両方の面に、多数の溝が配置されており、前記溝内に多数の貫通孔が配置されていることを特徴とする低層建築物用パネル構造体。
【請求項３】
１枚のＥＰＳ製プレートによって形成され、
前記プレートの一方の面に補強部が設けられており、前記補強部が、前記プレートの一面に設けられた溝内に、該溝に合致する形状に形作られた硬質材料を嵌め込むことによって形成されていることを特徴とする低層建築物用パネル構造体。
【請求項４】
１枚のＥＰＳ製プレートによって形成され、
前記プレートの一方の面に、基部分と突出部分とからなる凸部が設けられており、前記凸部が、前記プレートの一面に設けられた溝内に、前記突出部分がプレート面から突出するように、該溝に合致する形状に形作られた前記基部分を嵌め込むことによって形成されていることを特徴とする低層建築物用パネル構造体。
【請求項５】
低層建築物の施工方法であって、
前記建築物の基礎を施工しようとする掘削箇所の底面と側面を土木シートで被覆し、前記掘削箇所の底面に砕石を敷いて転圧した後、砕石層の上面を土木シートで被覆し、前記掘削箇所の底面に前記請求項１に記載の低層建築物用パネル構造体を、前記掘削箇所の側面に前記請求項２に記載のパネル構造体をそれぞれ配置し、前記底面の低層建築物用パネル構造体および前記側面の低層建築物用パネル構造体を防水シートで被覆し、前記防水シートの上面に捨てコンクリートを打設するとともに、所要の鉄筋を組み立てた後、コンクリートを打設してべた基礎を施工することを特徴とする施工方法。
【請求項６】
低層建築物の施工方法であって、
基礎の立ち上がり部分のコンクリート打設部分の幅と同じ長さを有し、両端に鍔部がそれぞれ設けられた間隔保持部と、前記間隔保持部の端から外方に延び、内部に雌ねじが設けられた雌ねじ部と、前記雌ねじ部にそれぞれねじ込まれるボルトとを有する締結具を準備し、前記請求項３に記載のパネル構造体の補強部に前記締結具のボルトを差し込み、該ボルトの先端に前記雌ねじ部をねじ込み、前記パネル構造体をべた基礎の所定箇所に固定し、別のパネル構造体を前記パネル構造体の対面に配置し補強部に別のボルトを差し込んで対応する前記雌ねじ部にねじ込むことによって、対向するパネル構造体の間に空間を形成し、前記空間内にコンクリートを打設することにより基礎の立ち上がり部分を施工することを特徴とする施工方法。
【請求項７】
単管を保持するためのフック状部材を更に有する前記締結具を準備し、前記ボルトで固定された前記フック状部材に水平方向に延びた単管を載せることによって、隣接するパネル構造体を一線に配置することを特徴とする請求項６に記載の方法。
【発明の詳細な説明】
【技術分野】
【０００１】
本発明は、低層建築物施工方法および低層建築物用パネル構造体に関する。本発明における低層建築物は主として、１階建て〜３階建ての木造建築物を対象としている。
【背景技術】
【０００２】
寒冷地の住宅は、快適な居住空間を提供すべく、特に断熱性に優れたものが望まれている。従来、断熱性に配慮した低層建築物向けの施工方法として、種々のものが提案されている。
【発明の開示】
【発明が解決しようとする課題】
【０００３】
本発明は、廉価なコストで断熱性に優れた低層建築物を施工することができる施工方法およびパネル構造体を提供することを目的としている。また、交通量の激しい地域に隣接した敷地に建設される建築物は、絶え間のない振動に曝されるおそれがあるが、免震性に優れた施工方法およびパネル構造体を提供することを目的としている。
【課題を解決するための手段】
【０００４】
本願請求項１に記載の低層建築物用パネル構造体は、同じ大きさのＥＰＳ製プレートを最外層に配置し、前記ＥＰＳ製プレートと同じ大きさの１枚又は複数枚のＥＰＳ製プレート及び／又は１枚又は複数枚のポリプロピレン製プレートを中間層に配置し、隣接するプレート同士を接着剤で接着することによって形成され、一方の最外層の面又は両方の最外層の面に多数の溝が配置され、前記最外層の一方の面から他方の面に至る多数の貫通孔が前記溝内に配置されていることを特徴とするものである。
【０００５】
本願請求項２に記載の低層建築物用パネル構造体は、１枚のＥＰＳ製プレートによって形成され、前記プレートの一方の面又は両方の面に、多数の溝が配置されており、前記溝内に多数の貫通孔が配置されていることを特徴とするものである。
【０００６】
本願請求項３に記載の低層建築物用パネル構造体は、１枚のＥＰＳ製プレートによって形成され、前記プレートの一方の面に補強部が設けられており、前記補強部が、前記プレートの一面に設けられた溝内に、該溝に合致する形状に形作られた硬質材料を嵌め込むことによって形成されていることを特徴とするものである。
【０００７】
本願請求項４に記載の低層建築物用パネル構造体は、１枚のＥＰＳ製プレートによって形成され、前記プレートの一方の面に、基部分と突出部分とからなる凸部が設けられており、前記凸部が、前記プレートの一面に設けられた溝内に、前記突出部分がプレート面から突出するように、該溝に合致する形状に形作られた前記基部分を嵌め込むことによって形成されていることを特徴とするものである。
【０００８】
本願請求項５に記載の低層建築物施工方法は、前記建築物の基礎を施工しようとする掘削箇所の底面と側面を土木シートで被覆し、前記掘削箇所の底面に砕石を敷いて転圧した後、砕石層の上面を土木シートで被覆し、前記掘削箇所の底面に前記請求項１に記載の低層建築物用パネル構造体を、前記掘削箇所の側面に前記請求項２に記載のパネル構造体をそれぞれ配置し、前記底面の低層建築物用パネル構造体および前記側面の低層建築物用パネル構造体を防水シートで被覆し、前記防水シートの上面に捨てコンクリートを打設するとともに、所要の鉄筋を組み立てた後、コンクリートを打設してべた基礎を施工することを特徴とするものである。
【０００９】
本願請求項６に記載の低層建築物施工方法は、基礎の立ち上がり部分のコンクリート打設部分の幅と同じ長さを有し、両端に鍔部がそれぞれ設けられた間隔保持部と、前記間隔保持部の端から外方に延び、内部に雌ねじが設けられた雌ねじ部と、前記雌ねじ部にそれぞれねじ込まれるボルトとを有する締結具を準備し、前記請求項３に記載のパネル構造体の補強部に前記締結具のボルトを差し込み、該ボルトの先端に前記雌ねじ部をねじ込み、前記パネル構造体をべた基礎の所定箇所に固定し、別のパネル構造体を前記パネル構造体の対面に配置し補強部に別のボルトを差し込んで対応する前記雌ねじ部にねじ込むことによって、対向するパネル構造体の間に空間を形成し、前記空間内にコンクリートを打設することにより基礎の立ち上がり部分を施工することを特徴とするものである。
【００１０】
本願請求項７に記載の低層建築物施工方法は、前記請求項６の方法において、単管を保持するためのフック状部材を更に有する前記締結具を準備し、前記ボルトで固定された前記フック状部材に水平方向に延びた単管を載せることによって、隣接するパネル構造体を一線に配置することを特徴とするものである。
【発明の効果】
【００１１】
本発明のパネル構造体および施工方法によれば、良好な断熱性および振動衝撃性能を有する低層建築物が提供される。本発明では、良好な断熱性および振動衝撃性能を有するパネル構造体がコンクリート用の型枠として用いられているので、施工工期を短縮することができるとともに、施工コストの低減化にも寄与する。パネル構造体の補強部および凸部は、パネル構造体自体の強度を高めるリブとしての役目も果たす。
【発明を実施するための最良の形態】
【００１２】
次に図面を参照して、本発明の好ましい実施の形態に係る低層建築物施工方法について詳細に説明する。本発明の好ましい実施の形態に係る低層建築物施工方法は、基礎の底部／側部の施工方法、基礎の立ち上がり部分の施工方法、および建築物の壁部／屋根部の施工方法に大別される。
【００１３】
最初に、基礎の底部／側部の施工方法について説明する。図１は、基礎の底部／側部の施工方法によって施工された基礎を模式的に示した断面図、図２は、基礎の底部／側部の施工方法における一連の手順を示した図である。まず、基礎を施工しようとする箇所の地盤の掘削を行い、掘削箇所の底面と側面を土木シート１０で被覆する（図２（ａ）参照）。土木シート１０は、ポリエステル繊維等で形成され、道路建設、軟弱地盤対策、港湾、河川の分野等で一般的に用いられているものを使用してよい。土木シート１０は、透水性を有している。
【００１４】
次いで、土木シート１０で被覆した掘削箇所の底面に砕石を敷いて転圧した後、砕石層１２の頂面を土木シート１４で被覆する（図２（ｂ）参照）。土木シート１４は、土木シート１０と同様のものを使用してよい。
【００１５】
次いで、掘削箇所の底面および側面に、本発明の好ましい実施の形態に係る低層建築物用パネル構造体１６、１６′をそれぞれ配置する（図２（ｃ）参照）。図３は、底面に配置される低層建築物用パネル構造体１６を示した概略斜視図である。
【００１６】
低層建築物用パネル構造体１６は、同じ大きさの矩形のビーズ法ポリスチレンフォーム（Ｅｘｐａｎｄｅｄ  Ｐｏｌｙ−Ｓｔｙｒｅｎｅ，以下「ＥＰＳ」という）製プレート１０ａとポリプロピレン製プレート１０ｂを接着剤で接着することによって形成される。ＥＰＳは、良好な断熱材料として知られているが、ＥＰＳとポリプロピレンを組み合わせることにより、良好な断熱性能を保有しつつ、振動衝撃性能を向上させた材料が得られる。なお、図３に示される低層建築物用パネル構造体１６は、第１層、第３層および第５層がＥＰＳ製プレート、第２層および第４層がポリプロピレン製プレートの計５層のプレートで形成されているが、最外層（この例では、第１層と第５層）がＥＰＳ製プレートで形成されていれば、層数および各層の形成材料は、図３に示されるものに限定されるものではない。
【００１７】
低層建築物用パネル構造体１６の頂面および底面には、複数列の縦方向溝１８ａおよび複数列の横方向溝１８ｂが格子状に配列されており、縦方向溝１８ａと横方向溝１８ｂの各交差箇所には、頂面から底面まで延びた貫通孔２０がそれぞれ設けられている。溝１８ａ、１８ｂおよび貫通孔２０を設けた理由は、排水経路を確保して、液状化現象が発生した場合に基礎の浮き上がりと不同沈下を減少させるためである。なお、図３に示される低層建築物用パネル構造体１６では、頂面と底面の両面に溝が設けられているが、使用箇所によってはいずれか一方の面にのみ溝を設けてもよい。また、各辺に平行／直交するように溝が設けられているが、各辺に対して斜めになるように溝を設けてもよい。また、縦方
向と横方向の二方向に溝が設けられているが、いずれか一方向にのみ溝を設けてもよい。
【００１８】
掘削箇所の側面に設けられる低層建築物用パネル構造体１６′は、１枚のＥＰＳ製プレートで形成されている点を除いて、低層建築物用パネル構造体１６′と実質的に同一の構成を有している。低層建築物用パネル構造体１６′を１枚のＥＰＳ製プレートで形成したのは、基礎の底部に配置する低層建築物用パネル構造体１６と比較して、パネル構造体に作用する荷重が小さいことを考慮したためである。
【００１９】
次いで、掘削箇所の底面および側面に配置された低層建築物用パネル構造体１６を防水シート２２で被覆する（図２（ｄ）参照）。防水シート２２は、通常のものを使用してよい。
【００２０】
次いで、防水シート２２の上面に捨てコンクリート２４を打設するとともに、所要の鉄筋を組み立てる（図２（ｅ）参照）。最後に、コンクリートを打設してべた基礎２６を施工する（図２（ｆ）参照）。なお、低層建築物用パネル構造体１６、１６′がべた基礎２６用の型枠の役目を果たすので、型枠を設置する必要がない。
【００２１】
次に、基礎の立ち上がり部分の施工方法について説明する。図４は、立ち上がり部分が施工された基礎を模式的に示した断面図、図５（ａ）は、基礎の立ち上がり部分の施工方法において使用される第２の低層建築物用パネル構造体２８を示した図である。
【００２２】
第２の低層建築物用パネル構造体２８は、矩形のＥＰＳ製プレートで形成されており、プレートの一方の面に補強部２８ａが設けられている。補強部２８ａは、ＥＰＳ製プレートの一面に設けられた溝内に、該溝に合致する形状に形作られた硬質材料を嵌め込むことによって形成されている。硬質材料は、適当な樹脂プラスチック材料などが用いられる。補強部２８ａは、ボルト等の締結具を通す箇所として用いられる。図５（ａ）に示される補強部２８ａは、プレートの一方の面に所定間隔隔てて２列に配置されているが、これは単なる例示にすぎず、これに限定されるものではない（例えば、補強部を３列に配置してもよい）。パネル構造体２８の底部には、パネル構造体２８をべた基礎２６に固定するための取付部２８ｂが設けられている。取付部２８ｂは、ＥＰＳ製プレートの底縁の一部に設けられた溝内に、該溝に合致する形状に形作られた硬質材料を嵌め込むことによって形成されており、図５（ｂ）に示されるように、取付部２８ｂに釘打ちすることによって、パネル構造体２８がべた基礎２６に固定される。また、パネル構造体２８の両側縁には、隣接するパネル構造体２８同士を連結する際に用いられる溝２８ｃが設けられている。そして、図５（ｃ）に示されるように、溝２８ｃ内に、溝２８ｃに合致する形状に形作られた連結部材２８ｄを差し込むことによって、隣接するパネル構造体２８を連結することができる。
【００２３】
図６は、基礎の立ち上がり部分の施工において使用される締結具３０を示した分解斜視図である。締結具３０は、基礎の立ち上がり部分のコンクリート充填部分の幅（換言すると、対向する第２の低層建築物用パネル構造体２８の内面間の距離）ｗと同じ長さを有し、両端に鍔部３０ａ１がそれぞれ設けられた間隔保持部３０ａと、間隔保持部３０ａの端から外方に延び、内部に雌ねじが設けられた雌ねじ部３０ｂと、雌ねじ部３０ｂにそれぞれねじ込まれるボルト３０ｃと、単管を保持するためのフック状部材３０ｄとを有している。
【００２４】
基礎の立ち上がり部分の施工方法においては、まず一方の第２の低層建築物用パネル構造体２８の補強部２８ａに締結具３０のボルト３０ｃを差し込み、ボルト３０ｃの先端に雌ねじ部３０ｂをねじ込む（図７（ａ）参照）。次いで、この第２の低層建築物用パネル構造体２８をべた基礎２６の所定箇所に固定し（図７（ｂ）参照）、他方の第２の低層建築物用パネル構造体２８をその対面に配置する。これにより、対向する第２の低層建築物用パネル構造体２８間に、間隔保持部３０ａの長さに等しい幅ｗの空隙が形成される。次いで、この空隙内にコンクリートを充填することにより、基礎の立ち上がり部分が形成される（図７（ｃ）参照）。なお、コンクリート充填前に所定箇所にアンカーボルトを設置しておくのがよい。本発明の方法では、対向する第２の低層建築物用パネル構造体２８が型枠になるので、極めて効率的な施工が可能になる。
【００２５】
基礎の立ち上がり部分を施工する際、上述のように、鉄筋を囲むようにしてパネル構造体２８を配置する。この際、隣接するパネル構造体２８が波打たないように一線上に配置する必要があるが、ボルト３０ｃで固定されたフック状部材３０ｄに水平方向に延びた単管を載せることによって、パネル構造体２８を容易に一線上に配置することができる（図７（ｄ）参照）。なお、図４では、防水シート２２がパネル構造体２８の外面に位置しているが、パネル構造体２８の内面に防水シートが位置するようにしてもよい。
【００２６】
次に、建築物の壁部／屋根部の施工方法について説明する。図９（ａ）は、壁部の施工方法において使用される第３の低層建築物用パネル構造体３４を示した図である。第３の低層建築物用パネル構造体３４は、矩形のＥＰＳ製プレートで形成されており、プレートの一方の面に凸部３４ａが設けられている。基部分３４ａ１と突出部分３４ａ２とからなる凸部３４ａ（図９（ｂ）参照）は、ＥＰＳ製プレートの一面に設けられた溝内に、突出部分３４ａ２がプレート面から突出するように、該溝に合致する形状に形作られた基部分３４ａ１を嵌め込むことによって形成されている。凸部３４ａは硬質材料で形成されており、この硬質材料は、適当な樹脂プラスチック材料などが用いられる。凸部３４ａは、外壁材（例えば、タイル）を嵌め込むための突起として用いられる。図９（ａ）に示されるパネル構造体３４では、凸部３４ａがプレートの一方の面に所定間隔隔てて３列に配置されているが、これは単なる例示にすぎず、これに限定されるものではない（例えば、凸部を４列以上にしてもよい）。
【００２７】
壁部の施工方法においては、第３の低層建築物用パネル構造体３４を凸部３４ａが外面に向くように下地材に取り付ける。しかる後、凸部３４ａの突出部分３４ａ２に合致する溝が内面に設けられたタイルを第３の低層建築物用パネル構造体３４に順次取り付けることによって壁部が形成される（図８参照）。また、屋根部の施工方法においては、第２の低層建築物用パネル構造体２８を下地材に釘等を用いて固定することによって屋根部が形成される。この際、釘は補強部２８ａに打ちつけるのが好ましい。
【００２８】
第３の低層建築物用パネル構造体３４を使用して通気路を形成することもできる。すなわち、上述の壁部の施工方法では、凸部３４ａが横方向に延びるようにパネル構造体３４が用いられているが、凸部３４ａが縦方向に延びるようにパネル構造体３４を配置して外壁材を取り付けることにより、パネル構造体３４と外壁材との間に垂直方向に延びた通気路が形成される（図１０参照）。
【００２９】
本発明は、以上の発明の実施の形態に限定されることなく、特許請求の範囲に記載された発明の範囲内で、種々の変更が可能であり、それらも本発明の範囲内に包含されるものであることはいうまでもない。
【図面の簡単な説明】
【００３０】
【図１】本発明の好ましい実施の形態に係る基礎の底部／側部の施工方法によって施工された基礎を模式的に示した断面図である。
【図２】基礎の底部／側部の施工方法における一連の手順を示した図である。
【図３】図３（ａ）は本発明の好ましい実施の形態に係る低層建築物用パネル構造体を概略的に示した斜視図、図３（ｂ）は図３（ａ）の線３ｂ−３ｂに沿って見た断面図である。
【図４】本発明の好ましい実施の形態に係る基礎の立ち上がり部分の施工方法によって施工された基礎を模式的に示した断面図である。
【図５】図５（ａ）は本発明の好ましい実施の形態に係る第２の低層建築物用パネル構造体を概略的に示した斜視図、図５（ｂ）は図５（ａ）の線５ｂ−５ｂに沿って見た断面図、図５（ｃ）は隣接するパネル構造体を連結する方法を示した図である。
【図６】基礎の立ち上がり部分の施工において使用される締結具を示した分解斜視図である。
【図７】基礎の立ち上がり部分の施工方法における一連の手順を示した図である。
【図８】本発明の好ましい実施の形態に係る壁部／屋根部の施工方法を模式的に示した図である。
【図９】図９（ａ）は本発明の好ましい実施の形態に係る第３の低層建築物用パネルを概略的に示した斜視図、図９（ｂ）は図９（ａ）の低層建築物用パネル構造体の一部拡大図である。
【図１０】図９の第３の低層建築物用パネルの使用例を示した図である。
【符号の説明】
【００３１】
１０、１４  土木シート
１２  砕石
１６、１６′  低層建築物用パネル構造体
１８ａ、１８ｂ  溝
２０  貫通孔
２２  防水シート
２４  捨てコンクリート
２６  べた基礎
２８  第２の低層建築物用パネル構造体
３０  締結具
３４  第３の低層建築物用パネル構造体
【図１】
2008088773.tif 000003
【図２】
2008088773.tif 000004
【図３】
2008088773.tif 000005
【図４】
2008088773.tif 000006
【図５】
2008088773.tif 000007
【図６】
2008088773.tif 000008
【図７】
2008088773.tif 000009
【図８】
2008088773.tif 000010
【図９】
2008088773.tif 000011
【図１０】
2008088773.tif 000012